(57)【要約】      （修正有）【課題】商業主がコンピュータを利用せずに、携帯電話のメール機能のみで、特定地域、特定層の顧客に対して情報を提供できるシステムを確立する。【解決手段】広告を顧客携帯電話３にメールとして配信する配信サーバ１とその配信サーバ１が参照できる顧客データベース部５と商業主データベース部６と商業主メール文データベース部８と確認送信データベース部９を備え、広告対象の顧客層の選択条件を商業主携帯電話２から入力し広告メール文を作成する。配信サーバ１は前記顧客データベース部５を参照して対象者を選択し広告メールとして配信する。【選択図】図１
2004152224.tif 000002
【特許請求の範囲】
【請求項１】
商業主に関する情報を記憶した商業主データベース部と、顧客のメールアドレス・属性・位置情報（ＧＰＳを含む）を記憶した顧客データベース部と、配信する広告内容を格納出来る商業主メール文データベース部と、商業主からの送信メール及び顧客からの確認メールを管理する確認送信データベース部と時刻を示す時間管理部と電子メールを複数同時に送信可能なメールサーバ部を備えたインターネットに接続可能なコンピュータからなる配信サーバであり、配信する広告文と広告対象の顧客層の属性と位置情報とを前記の配信サーバに入力し配信サーバは前記顧客データベースを参照して対象者を選択しそのメールアドレスを検索して、前記広告文を選択された対象者にメールとして配信されると同時に前記確認送信メールデータベース部の内部に商業主顧客別に送信及び受信件数が記憶される様に構成されていることを特徴とする広告配信システム。
【発明の詳細な説明】
【０００１】
【発明が属する技術分野】この発明は、携帯電話を利用した広告配信システムに関する。
【０００２】
【従来の技術】駅前等でティッシュ・チラシ等を配る事が駅周辺の顧客に絞った有効な広告方法として広く用いられている。この方法では顧客に対してティッシュ・チラシ等を配布する対象者を商業主が目で見て選別しながら配布している。しかし選別して配布しても受け取ってもらえないケースや受け取っても見ないで処分されるケースが多々あり、費用対効果は十分とはいえない。
【０００３】
【発明が解決しようとする課題】しかし携帯電話のメール機能を用いた場合、ティッシュ・チラシ等の粗品を用意する必要もなく配布する時間も必要ない。本発明は商業主データベース部・顧客データベース部・商業主メール文データベース部・確認送信データベース部・時間管理部・メールサーバ部を持ったインターネットに接続された配信サーバ機能を用いて、商業主携帯電話２からインターネットを通じて場所・時間・人を問わず前記、配信サーバにアクセスし顧客データベースから属性・位置情報（ＧＰＳを含む）を検索して広告メールを作成して配信し、保存を行い、送信件数の管理及び顧客からの返信メール件数を管理する。また顧客携帯電話３の所有者からの返信メールの件数を管理し、一定件数になれば特典メールを送信する機能を有するシステムの提供を目的としている。
【０００４】
【課題を解決するための手段】広告メールを顧客携帯電話３にメールとして配信する配信サーバが参照出来る。顧客データベース部５・商業主データベース部６・メールサーバ部７・商業主メール文データベース部８・確認送信データベース部９・時間管理部１０を備え、顧客携帯電話３から配信サーバへ顧客が自己の属性・位置情報（ＧＰＳを含む）を登録する。又同じく商業主携帯電話２から自由に配信サーバへアクセスして顧客情報を検索し、属性・位置情報を選択し広告メールを作成し、送信する。配信サーバは商業主送信メールの件数及び内容文を保存し顧客確認メールの管理を行う。
【０００５】
上記のような構成にすれば商業主携帯電話のみでインターネットを介して顧客携帯電話に直接アクセスできるので効果的な広告メールが配信できる。
【０００６】
【発明の実施の形態】
本発明の実施の形態について全体図を参照しながら説明をします。なを、配信サーバ内の（図の２を参照）５，６，７，８，９，１０、の各部の名称は配信サーバ内としてその説明は繰り返さない。
【０００７】
顧客携帯電話３から配信サーバ内にアクセスし、図の３を参照、５の顧客データベース部に属性  希望情報提供地のメンバー登録を行う、手順は図の５，６，７，８，９、を参照。商業主携帯電話２から配信サーバ内にアクセスし、６の商業主データベース部に名前及び名称、送金金額、メールアドレスのクライアント登録を行う、手順は図の１４，１５，１６，１７，１８、を参照。
【０００８】
商業主携帯電話２から配信サーバ内にアクセスし、図の３を参照、メンバーの属性、希望情報提供地を検索して送信メールを作成、配信する、手順は図の１９，２０，２１，２２，２３，２４，２５，２６，２７，２８、を参照。
【０００９】
そして配信サーバ内において配信件数、配信広告メール文、返信メール件数を管理する、手順は図の１９，２８．２９．３０、を参照。
【００１０】
顧客携帯電話３は受信した広告メールの確認送信を配信サーバ内へ行い、配信サーバ内において顧客受信件数、返信メール件数を管理する。そして配信サーバ内は一定件数になれば特典メールを自動的に配信できる。
【００１１】
【発明の効果】
本発明は、以上説明したように構成され、特定の地区そして特定層の顧客を選択し、商業主が場所、時間、状況を問わず、携帯電話のみで広告メール文を作成配信することができます。
【図面の簡単な説明】
【図１】配信システムの全体図を示す概念図である。
【図２】配信サーバ１の構成の概略を示す図である。
【図３】商業主・顧客共通の携帯画面のメインメニューの概略を示す図である。
【図４】商業主・顧客共通の携帯画面の図３Ａを模式的に示した図である。
【図５】顧客携帯電話３からメンバー登録するために配信サーバの手順を示すフローチャートである。
【図６】顧客携帯３に登録メッセージ画面を模式的に示した図である。
【図７】顧客携帯３が登録済みメッセージ画面を模式的に示した図である。
【図８】メンバー登録リストを模式的に示した図である。
【図９】顧客携帯３に確認メールのメッセージ画面を模式的に示した図である。
【図１０】商業主・顧客携帯２，３からメンバー登録の検索するために配信サーバの手順を示すフローチャートである。
【図１１】商業主・顧客携帯２，３に選択メッセージ画面を模式的に示した図である。
【図１２】商業主・顧客携帯２，３に選択済みメッセージ画面を模式的に示した図である。
【図１３】商業主・顧客携帯２，３に選択結果メッセージ画面を模式的に示した図である。
【図１４】商業主携帯２からクライアント登録するために配信サーバの手順を示すフローチャートである。
【図１５】商業主携帯２に登録メッセージ画面を模式的に示した図である。
【図１６】商業主携帯２に登録情報メッセージ画面を模式的に示した図である。
【図１７】クライアント登録リストを模式的に示した図である。
【図１８】商業主携帯２に登録済みメッセージ画面を模式的に示した図である。
【図１９】商業主携帯２から顧客情報を検索し広告メールの作成配信及び受信件数の確認までの配信サーバの手順を示すフローチャートである。
【図２０】商業主携帯２にパスワード入力メッセージ画面を模式的に示した図である。
【図２１】商業主携帯２にパスワード入力済みメッセージ画面を模式的に示した図である。
【図２２】商業主携帯２にログイン情報メッセージ画面を模式的に示した図である。
【図２３】商業主携帯２に属性、希望情報提供地の選択済みメッセージ画面を模式的に示した図である。
【図２４】商業主携帯２に属性、希望情報提供地の確認メッセージ画面を模式的に示した図である。
【図２５】商業主携帯２に属性、希望情報提供地の確認済みメッセージ画面を模式的に示した図である。
【図２６】商業主携帯２に配信人数、配信地区及び広告作成用画面のメッセージ画面を模式的に示した図である。
【図２７】商業主携帯２に配信人数、配信地区及び広告作成画面の作成済みメッセージ画面を模式的に示した図である。
【図２８】商業主携帯２から顧客携帯３へ広告メールとして配信されたメッセージ画面を模式的に示した図である。
【図２９】顧客携帯３から配信サーバへ確認メールとして送信されたメッセージ画面を模式的に示した図である。
【図３０】配信サーバから商業主携帯２に配信された件数のメッセージ画面を模式的に示した図である。
【図３１】商業主・顧客共通の携帯画面の図３Ｆを模式的に示したものである。
【図３２】商業主・顧客共通の携帯画面の図３Ｇを模式的に示したものである。
【符号の説明】
１  配信サーバ
２  商業主携帯電話
３  顧客携帯電話
４  インターネット網
５  顧客データベース部
６  商業主データベース部
７  メールサーバ部
８  商業主メール文データベース部
９  確認送信データベース部
１０時間管理部
【図１】
2004152224.tif 000003
【図２】
2004152224.tif 000004
【図３】
2004152224.tif 000005
【図４】
2004152224.tif 000006
【図５】
2004152224.tif 000007
【図６】
2004152224.tif 000008
【図７】
2004152224.tif 000009
【図８】
2004152224.tif 000010
【図９】
2004152224.tif 000011
【図１０】
2004152224.tif 000012
【図１１】
2004152224.tif 000013
【図１２】
2004152224.tif 000014
【図１３】
2004152224.tif 000015
【図１４】
2004152224.tif 000016
【図１５】
2004152224.tif 000017
【図１６】
2004152224.tif 000018
【図１７】
2004152224.tif 000019
【図１８】
2004152224.tif 000020
【図１９】
2004152224.tif 000021
【図２０】
2004152224.tif 000022
【図２１】
2004152224.tif 000023
【図２２】
2004152224.tif 000024
【図２３】
2004152224.tif 000025
【図２４】
2004152224.tif 000026
【図２５】
2004152224.tif 000027
【図２６】
2004152224.tif 000028
【図２７】
2004152224.tif 000029
【図２８】
2004152224.tif 000030
【図２９】
2004152224.tif 000031
【図３０】
2004152224.tif 000032
【図３１】
2004152224.tif 000033
【図３２】
2004152224.tif 000034